(57)【要約】【課題】インクカートリッジの記憶部に記憶されている情報において、情報内容が更新されている場合にのみ、更新されている部分を記憶部へ上書きする、印刷装置および印刷装置の制御方法を提供することを目的とする。【解決手段】記憶部１５を備えたインクカートリッジ１０を装着する装着部と、記憶部１５のインク残量を示すデータを読み出して格納する書込み読出し部７８と、印刷データを格納する受信バッファと、印刷データに応じて、インクを被印刷物上へ吐出する印刷部と、印刷部からインクが吐出された場合に、記憶部１５に格納されたデータを更新する処理部と、を備えた印刷装置１であって、印刷装置１とホストコンピュータとの間がオンライン状態であり、印刷部が非印刷状態であり、受信バッファに印刷データが格納されてなく、かつ、記憶部１５のデータが更新されている場合に、書込み読出し部７８は、更新されたデータを記憶部１５に格納する。【選択図】  図１
2005212381.tif 000002
【特許請求の範囲】
【請求項１】
記憶部を備えたインクカートリッジを装着する装着部と、
前記記憶部に格納されたデータであって、前記インクカートリッジ内のインク残量を示すデータを読み出して格納する書込み読出し部と、
ホストコンピュータから供給される印刷データを格納する受信バッファと、
前記受信バッファに格納された前記印刷データに応じて、前記インクカートリッジからのインクをヘッドから被印刷物上へ吐出する印刷部と、
前記印刷部から所定量の前記インクが吐出された場合に、前記所定量に基づいて前記記憶部に格納された前記データを更新する処理部と、
を備えた印刷装置であって、
前記印刷装置とホストコンピュータとの間がオンライン状態であり、前記印刷部が非印刷状態であり、前記受信バッファに前記印刷データが格納されてなく、かつ、前記記憶部の前記データが更新されている場合に、前記書込み読出し部は、更新された前記データを前記記憶部に格納する、
印刷装置。
【請求項２】
前記記憶部は、書き換え可能な不揮発性のメモリである請求項１に記載の印刷装置。
【請求項３】
前記インクカートリッジは、複数種類の前記インクを収容しており、
前記記憶部は、前記複数種類のインクのそれぞれに関する情報を個別に記憶している
請求項１または２に記載の印刷装置。
【請求項４】
記憶部を備えたインクカートリッジを装着する装着部と、
書込み読出し部と、
ホストコンピュータから供給される印刷データを格納する受信バッファと、
前記受信バッファに格納された前記印刷データに応じて、前記インクカートリッジからのインクをヘッドから被印刷物上へ吐出する印刷部と、
を備えた印刷装置の制御方法であって、
前記記憶部に格納されたデータであって、前記インクカートリッジ内のインク残量を示すデータを読み出して、前記書込み読出し部に格納するステップ（Ａ）と、
前記印刷部から所定量の前記インクが吐出された場合に、前記所定量に基づいて前記書込み読出し部に格納された前記データを更新するステップ（Ｂ）と、
前記印刷装置とホストコンピュータとの間がオンライン状態であり、前記印刷部が非印刷状態であり、前記受信バッファに前記印刷データが格納されてなく、かつ、前記ステップ（Ｂ）によって前記記憶部の前記データが更新されている場合に、更新された前記データを前記記憶部に格納するステップ（Ｃ）と、を有する、
印刷装置の制御方法。
【請求項５】
前記インクカートリッジは、複数種類の前記インクを収容しており、
前記記憶部への前記インクに関する情報の書き込みは、前記複数種類のインクのそれぞれに関する情報を個別に書き込むステップに基づいて行われる
請求項４に記載の印刷装置の制御方法。
【発明の詳細な説明】
【技術分野】
【０００１】
本発明は、電気的に読み書き可能な記憶部を備えるインクカートリッジを装着した、印刷装置および印刷装置の制御方法に関する。
【背景技術】
【０００２】
従来、インクを液滴状態でヘッドから吐出して、被印刷物へ印刷を行うインクジェット方式の印刷装置では、ヘッドへ供給するインクを貯留しているインクカートリッジ内のインク内蔵量（残量）に関する情報等を、インクカートリッジの記憶部に記憶させている。印刷装置は、記憶部から、例えばインクの内蔵量に関する情報を読み取り、印刷装置が算出した印刷等によるインクの消費量を基に、インクの内蔵量に関する情報を更新する。更新したインクの内蔵量に関する情報は、他の情報と共に、インクカートリッジの記憶部へ上書きされる。
【０００３】
特許文献１によれば、インクカートリッジの記憶部への上書きは、電源ＯＦＦ指令時、印刷停止や改ページ操作時などの非印刷状態の時に行われる設定である。
【０００４】
【特許文献１】特開２００１−１３００２６号公報
【発明の開示】
【発明が解決しようとする課題】
【０００５】
しかし、従来の技術において、非印刷状態の時に行われる記憶部への上書きは、単なる改ページのみの操作後のように、記憶部にかかわる情報に変化が生じていなくても実行される。同様に、複数種のインクの内、使用されずに変化のなかったインクに関する情報についても、上書き処理が実行される。
【０００６】
本発明は上記課題に鑑みてなされており、インクカートリッジの記憶部に記憶されているインクに関する情報において、印刷装置によって印刷等がなされて、インクに関する情報の内容が更新された場合にのみ、更新されている部分を記憶部へ上書きする、印刷装置および印刷装置の制御方法を提供することを目的とする。
【課題を解決するための手段】
【０００７】
本発明の印刷装置は、記憶部を備えたインクカートリッジを装着する装着部と、記憶部に格納されたデータであって、インクカートリッジ内のインク残量を示すデータを読み出して格納する書込み読出し部と、ホストコンピュータから供給される印刷データを格納する受信バッファと、受信バッファに格納された印刷データに応じて、インクカートリッジからのインクをヘッドから被印刷物上へ吐出する印刷部と、印刷部から所定量のインクが吐出された場合に、所定量に基づいて記憶部に格納されたデータを更新する処理部と、を備えた印刷装置であって、印刷装置とホストコンピュータとの間がオンライン状態であり、印刷部が非印刷状態であり、受信バッファに印刷データが格納されてなく、かつ、記憶部のデータが更新されている場合に、書込み読出し部は、更新されたデータを記憶部に格納する。
【０００８】
この印刷装置によれば、インクカートリッジの記憶部へ、インクに関する情報を書き込むタイミングが、明確に設定されており、印刷装置が、オンライン、非印刷および受信バッファにデータのない状態の時である。また、記憶部へ情報を書き込めるタイミングであっても、インクに関する情報に変化が生じている場合にのみ、記憶部へ情報が書き込まれる。従って、同じ情報を何度も書き込んで更新するような、無駄な処理が行われることがない。さらに、記憶部へ情報を書き込めるタイミング時には、ヘッド等が作動していない非印刷状態の時であり、情報の書き込みに障害となるノイズなどの影響を受けることもない。インクカートリッジの記憶部に記憶する情報として、主にはインクカートリッジに収容しているインクの残量情報である。記憶部には、印刷によって消費されたインク量を差し引いた最新のインク残量が記憶されていて、常に、最新のインク残量を確認できる。なお、記憶している情報は、インク残量情報のほかに、インクが残り少なくなったことを、インク残量情報と比較して判定するためのニアエンド閾値や、インクの色情報などがある。また、印刷装置の電源が不意に遮断されても、インクカートリッジの記憶部には、最新のインクに関する情報が保持されており、正しいインク残量が分からなくなるような事態は、回避できる。
【０００９】
この場合、記憶部は、書き換え可能な不揮発性のメモリである、ことが好ましい。
【００１０】
この構成によれば、記憶部は、頻繁にインクに関する情報を更新することができ、常に、最新のインクに関する情報を保持している。また、インクに関する情報を記憶しておくための電源が不要で、印刷装置からインクカートリッジを取り外しても、インクに関する情報は保持されている。
【００１１】
この場合、インクカートリッジは、複数種類のインクを収容しており、記憶部は、複数種類のインクのそれぞれに関する情報を個別に記憶している、ことが好ましい。
【００１２】
この構成によれば、複数種類のインクを使い分けてさらに多様な印刷ができる。使用量の異なるそれぞれのインクに関する情報を、容易に管理することができる。
【００１３】
本発明の印刷装置の制御方法によれば、記憶部を備えたインクカートリッジを装着する装着部と、書込み読出し部と、ホストコンピュータから供給される印刷データを格納する受信バッファと、受信バッファに格納された印刷データに応じて、インクカートリッジからのインクをヘッドから被印刷物上へ吐出する印刷部と、を備えた印刷装置の制御方法であって、記憶部に格納されたデータであって、インクカートリッジ内のインク残量を示すデータを読み出して、書込み読出し部に格納するステップ（Ａ）と、印刷部から所定量のインクが吐出された場合に、所定量に基づいて書込み読出し部に格納されたデータを更新するステップ（Ｂ）と、印刷装置とホストコンピュータとの間がオンライン状態であり、印刷部が非印刷状態であり、受信バッファに印刷データが格納されてなく、かつ、ステップ（Ｂ）によって記憶部のデータが更新されている場合に、更新されたデータを記憶部に格納するステップ（Ｃ）と、を有する。
【００１４】
この印刷装置の制御方法によれば、インクカートリッジの記憶部へインクに関する情報を書き込むステップが明確に設定されている。また、記憶部へ情報を書き込めるタイミングであっても、インクに関する情報に変化が生じている場合にのみ、記憶部へ情報を書き込むステップを実行する。従って、同じ情報を何度も書き込んで更新するような、無駄な処理が行われることがない。さらに、記憶部へ情報を書き込めるタイミング時には、ヘッド等が作動していない非印刷状態の時であり、情報の書き込みに障害となるノイズなどの影響を受けることもない。また、印刷装置の電源が不意に遮断されても、インクカートリッジの記憶部には、最新のインクに関する情報が保持されている。  
【００１５】
この場合、インクカートリッジは、複数種類のインクを収容しており、記憶部へのインクに関する情報の書き込みは、複数種類のインクのそれぞれに関する情報を個別に書き込むステップに基づいて行われる、ことが好ましい。
【００１６】
この構成によれば、収容しているそれぞれのインクに関する情報を、記憶部へ書き込むステップにおいて、インク毎に該当するインクに関する情報を書き込むため、インクの個別管理が行える。
【発明を実施するための最良の形態】
【００１７】
以下に添付図面を参照して、本発明の印刷装置について説明する。図１に示すように、印刷装置１は、制御部３６と、インクの吐出等を行う図示していない機構部と、インクカートリッジ１０を装着する装着部と、を備えている。インクカートリッジ１０は、印刷装置１に装着されて、インクカートリッジ１０が内蔵しているインクを印刷装置１へ供給する。また、インクカートリッジ１０は、書き換え可能な不揮発性の記憶部１５を備えている。記憶部１５は、インクカートリッジが内蔵するインクに関する主な情報としてのインクの残量を記憶する、インク残量メモリ部５１を有する。制御部３６は、インクカートリッジ１０の記憶部１５およびホストコンピュータ（ホスト）との入出力を扱う入出力インタフェース、各種の処理を行うＣＰＵ、ＲＯＭおよびＲＡＭを有している。
【００１８】
このような構成のインクカートリッジ１０が印刷装置１に装着されると、インクカートリッジ１０の記憶部１５と印刷装置１の制御部３６とが電気的に導通する。そして、インク残量メモリ部５１から、インクカートリッジ１０が内蔵するインクの残量等の情報が、制御部３６へ読み込まれ保存（格納）される（ステップＡ）。印刷装置１が印刷を行い、インクを消費すると、インクカートリッジ１０内のインクの残量が変化する。インク残量が変化すると、制御部３６内で記憶しているインクの残量が、都度、更新される（ステップＢ）。更新されたインクの残量は、インクカートリッジ１０の記憶部１５へ書き込まれる（ステップＣ）。
【００１９】
なお、記憶部１５に対して、更新されたインク残量の書き込みができるのは、印刷装置１がスリープを開始するときである。スリープ状態とは、印刷装置１がオンライン状態で、ヘッドからインクを吐出して印刷を行うなどのメカ動作がされていない非印刷状態であり、受信バッファにデータがない、いわゆる省電力状態のことである。
【００２０】
従って、制御部３６は、待機状態（Ｓ１０）からスリープ開始できるかをチェックする。まず、ステップＳ５０でオンラインであることを確認し、オンラインであれば印刷中であるかどうかを確認する（Ｓ５１）。ステップＳ５０でオンラインでなければ待機状態へ戻る（Ｓ１０）。次に、ステップＳ５１で印刷中でなければ、受信バッファにデータがあるかどうかを確認する（Ｓ５２）。ステップＳ５１で印刷中であれば、待機状態をへて印刷を続行する。さらに、ステップＳ５２で受信バッファにデータがなければ、記憶部への書き込み情報が更新されているかどうかを確認する（Ｓ５３）。ステップＳ５２で受信バッファにデータがあれば、待機状態へ戻る。最後にステップＳ５３にて書き込み情報が更新されていれば、インクカートリッジ１０の記憶部１５へ更新されている情報を書き込み（Ｓ５４）、スリープを開始する（Ｓ５５）。ステップＳ５３で書き込み情報が更新されていなければ、記憶部１５へ書き込みをせずにスリープを開始する（Ｓ５５）。
【００２１】
ここで、待機状態とは、電源ＯＦＦの状態を含めて、印刷装置１が即作動可能状態で次の指令を待つ状態のことである。また、オンライン状態とは、印刷装置１が電源ＯＮの状態でホストと接続され、印刷などのメカ動作の作動中、あるいは待機状態にある場合を表す。
【００２２】
以上のように、インクカートリッジ１０の記憶部１５へのインクに関する情報の書き込みは、スリープ開始時に、インクに関する情報が変化している場合にのみ、実行される。スリープ開始時は、非印刷状態であって、情報の書き込みに障害となるノイズなどの影響を、受けることがなく、確実に書き込みがなされる。こうして、記憶部１５には、常に、最新のインクに関する情報が記憶されている。
【００２３】
次に、本発明の印刷装置について、インクを液滴状態でヘッドから吐出して、被印刷物である用紙へ印刷を行うインクジェット方式の印刷装置１を例にして、さらに詳細に説明する。
【実施例】
【００２４】
図２は本発明に係わる印刷装置１の外観斜視図である。印刷装置１は、基部２と、基部２の一端部に位置する片持部４と、片持部４を介して片持ち支持されている記録部３とから構成されている。そして、基部２と記録部３との間には、用紙が挿入される用紙搬送路５が設けられている。用紙搬送路５は、片持部４以外の３方向が、正面開口５ａ、背面開口５ｂ、側面開口５ｃとして連通している。また、記録部３の基部２側と反対側に、インクカートリッジ１０の脱着等のための開口部７と、開口部７を塞ぐカバー６と、カバー６を記録部３へ取り付けるヒンジ６ａと、カバー６の一隅にあり開閉を容易にするための開閉突起６ｂと、が設けられている。片持部４の背面開口５ｂ側には、用紙搬送路５の用紙を押さえたり、あるいは開放するためのレリーズレバー８が備えられている。レリーズレバー８が用紙を開放している場合には、ユーザーは手動で用紙を抜き差しできる。そして、インクカートリッジ１０が、開口部７から脱着可能なように、記録部３内へ収容されている。
【００２５】
図３は、インクカートリッジ１０の外観図である。インクカートリッジ１０は、印刷用のシアン色インクを収容するシアン色タンク１１ａと、マゼンタ色タンク１１ｂと、イエロ色タンク１１ｃと、クロ色タンク１１ｄと、廃液タンク１１ｅと、を順に連結して一体化した略直方体の収容部１１を備え、インクカートリッジ１０を印刷装置１からとりだすためのタブ１６が、収容部１１の一面に設けられている。また、各インクタンクは、タブ１６が設けられている面と反対側の面に、インクを印刷装置１へ供給するためのインク供給口１２をそれぞれ備え、廃液タンク１１ｅは、廃液を受け入れるための廃液受入口１３を備えている。
【００２６】
さらに、廃液タンク１１ｅの一側面には、インクカートリッジ１０に関する情報を記憶する記憶部１５が設けられている。記憶部１５は、書き換え可能な不揮発性のメモリであるフラッシュメモリなどのＥＥＰＲＯＭ（Ｅｌｅｃｔｒｉｃａｌｌｙ  Ｅｒａｓａｂｌｅ  Ｐｒｏｇｒａｍａｂｌｅ  ＲＯＭ）である。
【００２７】
図４は、印刷装置１のインク供給系統の構成を示す断面図であり、図５は、印刷装置１の概構成を示す模式図である。両図を参照して印刷装置１のインクに関する部分から説明をする。印刷装置１の記録部３は、インクカートリッジ１０を装着するカートリッジホルダ３１と、カートリッジホルダ３１からヘッド２０へインクを供給するためのインク供給チューブ３２と、ヘッド２０を保持するキャリッジ２５と、キャリッジ２５の移動をガイドするガイド軸２６、およびキャリッジ２５に設けられているスライド溝４０と係合するガイドプレート２８と、を内蔵している。
【００２８】
ガイド軸２６とガイドプレート２８とは、記録部３の側面開口５ｃ側から片持部４の方向へ延在しており、このため、キャリッジ２５は、ガイド軸２６、ガイドプレート２８に沿って移動可能である。キャリッジ２５の移動は、ガイドプレート２８と平行に配置され、両端を回転自在のプーリーで張設されている、リング状のタイミングベルト４１によって行われる。片持部４側のプーリ―４２は、モータと連動しており、プーリー４２の回転によってタイミングベルト４１が回転し、タイミングベルト４１と連結しているキャリッジ２５を移動させることができる。
【００２９】
カートリッジホルダ３１からは、さらに、廃液をインクカートリッジ１０へ受け入れるための廃液チューブ３３が設けられており、片持部４の下部に設置されているポンプ３４、キャッピング部３５と連通している。キャッピング部３５は、ヘッド２０の機能を維持するためのメンテナンス装置である。ヘッド２０がキャッピング部３５の直上へ移動して来ると、キャッピング部３５はカム機構によって上昇し、ヘッド２０と密着する。そして、ポンプ３４の吸引作用によりヘッド２０からインクを強制的に吸引する。この吸引作用によって、インク乾燥によるヘッド２０の詰まり、異物の付着、等を防ぐことができる。このメンテナンスをクリーニングと称する。また、印刷の途中において、キャッピング部３５の位置で、ヘッドから一斉にインクを吐出して、インク吐出の少ないヘッド部が、詰まりなどの異常をきたさないようにする。このメンテナンスをフラッシングと称する。クリーニング、フラッシングは、所定量の印刷がなされた時点で定期的に行われ、常に、正常なインク吐出のできる状態が維持される。
【００３０】
ここで、インクカートリッジ１０を装着する装着部であるカートリッジホルダ３１について説明する。カートリッジホルダ３１は、インクカートリッジ１０を装着する内側部分に、インクカートリッジ１０の対応するインク供給口１２からインクを受け入れる４つのインク受入部１８と、廃液受入口１３へ廃液を供給する廃液供給部１７と、記憶部１５と導通してデータの授受を行うホルダ基板部１４と、を備えている。
【００３１】
カートリッジホルダ３１へインクカートリッジ１０が装着されると、インク供給口１２とインク受入部１８とが接続され、各インク色毎にインク供給チューブ３２ａ、３２ｂ、３２ｃ、３２ｄを通してヘッド２０へ供給される。この時、ホルダ基板部１４に対してインクカートリッジ１０の記憶部１５が、反対方向へ向いて装着されないように、インクカートリッジ１０の記憶部１５が設けられている面は角状で、反対側の面は円弧状となっている。カーリッジホルダ３１も、ホルダ基板部１４が設けられている面は角状で、反対側の面は円弧状となっている。従って、インクカートリッジ１０は、カートリッジホルダ３１へ正しい方向でのみ、確実に押し込むことができる。
【００３２】
この場合、インクカートリッジ１０と、キャリッジ２５とが別々に離れて位置する、いわゆるオフキャリッジ構造を採用しているが、キャリッジ２５がインクカートリッジ１０を背負う構成で、一体となって移動する、いわゆるオンキャリッジ構造を採用することも可能である。
【００３３】
次に、用紙９の搬送機構について説明する。印刷装置１の背面開口５ｂから正面開口５ａに至る用紙搬送路５の下面は、板状部材のプラテン２１で主に構成され、さらに用紙９の搬送の上流側である背面開口５ｂ方向から、用紙９を感知するＢＯＦレバー２７と、用紙送りローラ２４と、用紙搬送サブローラ３０と、が配置されている。プラテン２１と対向する用紙搬送路５の上面は、背面開口５ｂ方向から、用紙ガイド２２と、用紙送りローラ２４に対峙する用紙搬送メインローラ２３と、キャリッジ２５と、用紙搬送サブローラ３０に対峙するＴＯＦレバー２９と、が配置されている。ＴＯＦレバー２９は、ＢＯＦレバー２７と同様、用紙９を感知するためのものである。そして、プラテン２１の下方には、制御部３６が配置されている。
【００３４】
印刷装置１では、図４に示すように用紙搬送路５の上下方向が離れている状態の時、用紙９を挿入することができる。用紙搬送路５に用紙９を挿入して、レリーズレバー８を上げると、プラテン２１が上昇して用紙を挟み込む。この時、ＢＯＦレバー２７は用紙９によって押し下げられ、ＴＯＦレバー２９は押し上げられて、それぞれ用紙９が挿入されたことを感知する。用紙９は、用紙搬送メインローラ２３と用紙送りローラ２４とで挟まれ、モータで駆動される用紙搬送メインローラ２３の回転によって、背面開口５ｂ方向へ一旦送られる。用紙９がＴＯＦレバー２９から離れると、その位置が用紙９の先端部であると認識して、その後の用紙９送りを制御する基準とする。用紙９が、ＢＯＦレバー２７あるいはＴＯＦレバー２９のどちらかにかかっていない状態で挿入されると、まず、両レバーで用紙９が感知される位置まで、用紙を移動させてから、先端部の認識を行う。
【００３５】
このように用紙搬送路５の３方向が開口している構成であるため、特に、綴じられた多数の用紙の中の一枚に、綴じたまま印刷することなどの、特殊な状態での印刷が可能である。定型紙給材装置やロール紙給材装置を取り付けての自動給紙も可能である。
【００３６】
次に、図６を基にヘッド２０の構成について説明する。図６は、ヘッド２０を用紙９の側から見た図である。ヘッド２０は、インクを吐出する１２８個のノズル４５を有する。そして、１２８個のノズル４５は、それぞれ６４個のノズル４５を有するＡ列、Ｂ列の２つのノズル列からなる。Ａ列に属するノズル４５のうち、３２個のノズル４５（２０ａ）は、シアン色のインクを吐出し、残りの３２個のノズル４５（２０ｂ）は、マゼンタ色のインクを吐出する。同様に、Ｂ列のノズル４５の２０ｃ、２０ｄは、それぞれイエロ色とクロ色を吐出する。この構成のヘッド２０では、Ａ列およびＢ列が用紙９の搬送方向と同じ方向に配置されており、印刷時に３２個のノズル４５で印刷した幅ずつ用紙送りが行われる。例えば、インクがすべてクロ色の単色印刷の場合、６４個のノズル４５で印刷した幅で用紙送りができ、印刷速度を早めることも可能である。
【００３７】
ノズル４５からインクを吐出する機構は、既に知られている静電アクチュエータ方式を用いており、顔料系、染料系等のインクの種類に適した吐出パターンや、吐出量を設定することができる。従って、インクを幅広く選定でき、多用途の印刷に対応できるものである。異なったインクを収容しているインクカートリッジ１０を使用する場合には、印刷装置１のインク流路の洗浄が必要となる。その場合、インクの代わりに洗浄液を収容したインクカートリッジ１０を、印刷装置１に装着し、クリーニングを行う。洗浄液は同じインクカートリッジ１０へ廃液として回収されるため、印刷装置１側は、洗浄のためのプログラムや付加装置等の、特別な配慮が不要である。なお、インクを吐出する機構は、静電アクチュエータ方式以外に、ピエゾ素子や電気熱変換素子を用いた方式であっても良い。
【００３８】
さらに、インクカートリッジ１０は、インクの収容部と廃液の収容部とが一体の構成のものが、扱いやすいが、インクと廃液の収容部を別体にして、それぞれ個別に交換することも可能である。また、インクも各色を別体の収容部として、それぞれ個別に交換できるようにしても良い。こうすることにより、各インク色および廃液をより緻密に個別管理することができる。
【００３９】
以上、印刷装置１の構成および作用について説明した。次に、インクに関連する印刷装置１の制御方法について述べる。図７は、インクカートリッジ１０の記憶部１５と印刷装置１の制御部３６とのデータ処理の概念を示すフローチャートである。インクカートリッジ１０が印刷装置１へ装着されると、インクカートリッジ１０の記憶部１５と印刷装置の制御部３６とが電気的に導通し、記憶部１５のインクに関するデータが制御部３６へ送出される（ステップＳ１）。制御部３６において、ＣＰＵ５３の制御下に、記憶部１５のデータがＲＡＭ５５に取り込まれ、ヘッド２０やポンプ３４の駆動制御等が予め組み込まれているＲＯＭ５４の情報と合わせて、各種制御が行われる。
【００４０】
インクに関する主なデータは、図８のインクカートリッジ１０の記憶部１５に示す通り、インク残量を記憶するインク残量メモリ部５１と、インクが残り少なくなったことを判定するためのニアエンド閾値を記憶するニアエンド閾値メモリ部５０と、廃液量を記憶する廃液量メモリ部６１と、廃液量が廃液タンク１１ｅに満杯近いことを判定するためのニアフル閾値を記憶するニアフル閾値メモリ部６０と、である。その他に、インクが顔料系か染料系かの種別や、収容しているインクの色や、製造年月日・シリアル番号などの情報がある。このうち、印刷装置１のインク消費に基づき編集および更新されるデータは、インク残量の値と、廃液量の値である。
【００４１】
記憶部１５から送出されたデータ（情報）は、制御部３６のＲＡＭ５５の生データ領域へ取り込まれ保存（格納）される（Ｓ２）。さらに、インク残量値と、廃液量値とは、編集のため編集データ領域へ送られる（Ｓ３）。編集データ領域のデータは、変数（パラメータ）として扱われ、パラメータ作業領域に取り込まれて演算される（Ｓ４）。パラメータ作業領域での演算時には、ヘッド２０からのインクの吐出回数を数えることによって、インクの消費量を算出するショットカウンタ値領域からのデータの取り込み（Ｓ５）と、フラッシングおよびクリーニングによるインクの消費量を算出するフラッシングカウンタ値領域からのデータの取り込み（Ｓ６）とを行う。また、インクの種別による、ヘッド２０の吐出パターンや、一回の吐出によるインク吐出量等の各データも取り込む（Ｓ７）。
【００４２】
ショットカウンタ値領域は、印刷にかかわるヘッド２０からのインクの吐出回数を計数してインク消費量算出の処理を行う。また、フラッシングカウンタ値領域は、キャッピング位置でのヘッド２０からのフラッシングによるインク吐出回数を計数するとともに、同じくキャッピング位置でのクリーニングによるインク吸引量を、ヘッド２０からのインク吐出回数に置き換えて計数することにより、インク消費量算出の処理を行う。つまり、インクの総消費量は、ショットカウンタ値領域とフラッシングカウンタ値領域で算出したインク消費量の合計である。そして、廃液として回収するインクの量は、フラッシングカウンタ値領域で算出したインク消費量が該当する。インク量は、吐出回数を代用値として表される。
【００４３】
ショットカウンタ値領域におけるインク消費量算出の処理は、ヘッド２０からのインクの吐出回数が、一定の回数に達するごとに、パラメータ作業領域において取り込まれているインク残量値から所定の値、例えば１Ｄｉｇｉｔずつを減算していく。この場合、インク残量値は、一定の吐出回数で吐出されるインク量を基に、Ｄｉｇｉｔ値に換算した値を用いる。ヘッド２０からインクが吐出されると、インク残量を示すＤｉｇｉｔ値がしだいに減少していき、インクが消費される過程が把握できる。なお、この処理は、インクカートリッジ１０が収容しているインク色毎に行われる。
【００４４】
フラッシングカウンタ値領域におけるインク消費量算出の処理も、同様に行われ、吐出回数が、一定の回数に達するごとに、パラメータ作業領域において取り込まれている廃液量値から所定の値、例えば１Ｄｉｇｉｔずつを減算していく。この場合、廃液量値は、一定の吐出回数で吐出されるインク量を基に、収容できる廃液量をＤｉｇｉｔ値に換算した値を用いる。フラッシングおよびクリーニングが行われると、廃液量を示すＤｉｇｉｔ値がしだいに減少していく。
【００４５】
ここでは、Ｄｉｇｉｔ値を減算する処理方法を説明したが、加算して行く処理方法であっても、同様にインク残量、廃液量を管理できる。また、インク残量、廃液量をＤｉｇｉｔ値に換算せずに、例えば、インクカートリッジ容量を５０ｃｃ、一定吐出回数のインク吐出量を０．１ｃｃと算定して、容量値をそのまま使用しても良い。あるいは、容量値ではなく重量値を使用することも可能である。
【００４６】
このように、パラメータ作業領域で処理されたインク残量および廃液量のデータは、記憶部１５からデータを読み出すのと逆の流れにより、記憶部１５へ書き込まれる。まず、パラメータ作業領域で処理されたデータは、編集データ領域へ書き込まれて保存される。この時、編集データ領域からパラメータ作業領域へ、データを読み込んで処理を行い、再び編集データ領域へ処理データを書き込む、という一連の作業は、常に１セットになっており、都度セットで実行される。編集データ領域に書き込まれたデータは、生データ領域のデータと比較され、データが更新されているかどうかの判定を受け、データが更新されていればインクカートリッジ１０の記憶部１５へ書き込まれる。データを記憶部１５へ書き込むのは、既述したように印刷装置１がスリープを開始する直前である。
【００４７】
以上述べたデータ処理について、図８のブロック図を参照して、さらに詳細に説明する。インクカートリッジ１０の記憶部１５は、インク内蔵量に関する情報として、インク残量を記憶するインク残量メモリ部５１と、ニアエンド閾値を記憶するニアエンド閾値メモリ部５０と、廃液量を記憶する廃液量メモリ部６１と、ニアフル閾値を記憶するニアフル閾値メモリ部６０と、を有する。
【００４８】
インクカートリッジ１０が印刷装置１に装着されると、印刷装置１の制御部３６の書込／読出部（書込み読出し部）７８は、記憶部１５からインク残量、ニアエンド閾値、廃液量およびニアフル閾値を読み出して保存する。書込／読出部７８は、図７で述べた生データ領域に該当する。そして、インク残量および廃液量は、編集データ領域／パラメータ作業領域であるインク消費量演算部７２と廃液量演算部７６へ、それぞれ取り込まれる。
【００４９】
処理部でもあるインク消費量演算部７２は、ヘッド２０から吐出されたインク消費量を算出するため、ショットカウンタ値領域である印刷制御部７０、フラッシングカウンタ値領域であるフラッシング制御部７３およびクリーニング制御部７４へアクセスして、それぞれが持っているデータを基に全インク消費量を算出する。
【００５０】
印刷制御部７０は、印刷制御部７０の受信バッファに格納しているホストからの印刷指令により、印刷部であるヘッド駆動部７１を介して、各色のインクを吐出するヘッド２０ａ、２０ｂ、２０ｃ、２０ｄを駆動させ、用紙９へ印刷を行う。同時に、印刷に要したインク吐出回数をカウントしており、インク消費量演算部７２は、第一の演算として、この吐出回数をインク消費量の値として算出する。
【００５１】
また、クリーニング制御部７４は、一定の印刷実行後等に、ポンプ駆動部７５を介して、ヘッド２０からインクを吸引するクリーニングを行う。また、インクカートリッジ１０装着時には、ヘッド２０までインクが充填するように、インクの吸引を行う。インク消費量演算部７２は、第二の演算として、ポンプ一回転のインク吸引量とポンプ３４の回転数とから吸引したインク量を算出する。インク量としては、第一の演算に合わせて、吸引したインク量をヘッド２０からのインク吐出回数に置き換えた値にして用いる。クリーニングは、ホストからの指令による実行や、印刷装置１に設けられているボタン等のクリーニング指令部７９の指令を、検知部８０で受けて強制的に実行することもできる。この強制クリーニングによるインク消費量も、第二の演算に含まれる。
【００５２】
さらに、フラッシング制御部７３は、一定の印刷実行毎に行われるフラッシングによって吐出されるインク量を算出する。インク消費量は、印刷制御部７０と同様に吐出回数で算出される（第三の演算）。そして、これらの各演算結果に基づいて、インク残量が新たに算出される（第四の演算）。新たに算出されたインク残量は、書込／読出部７８を通じて、印刷装置１がスリープを開始する都度、インクカートリッジ１０のインク残量メモリ部５１へ書き込まれる。このようにして、インク残量メモリ部５１は、常に最新のインク残量情報を保持している。
【００５３】
インク残量メモリ部５１へ書き込まれる更新されたインク残量は、一定の吐出回数を１ＤｉｇｉｔとしてＤｉｇｉｔ数で表されている。そのため、電源ＯＦＦ等の作動終了時には、一定の吐出回数に満たない端数回数の処理を行う。端数回数が一定の吐出回数の半分以上の回数の場合は、繰り上げて１Ｄｉｇｉｔとして扱う。以下の場合は、切り捨てる。繰上げの端数処理が行われたことは、インク残量メモリ部５１へフラグとして記憶される。
【００５４】
廃液量演算部７６は、第二の演算および第三の演算によるインク消費量を、廃液と判断して、既に読み込まれている廃液量の値を更新する。更新された廃液量は、インク残量と同様、書込／読出部７８を通じて、インクカートリッジ１０の廃液量メモリ部６１へ書き込まれる。このようにして、廃液量メモリ部６１は、常に最新の廃液量情報を保持している。
【００５５】
判定部７７は、書込／読出部７８に読み込まれているニアエンド閾値と、インク消費量演算部７２による第四の演算で算出された新たなインク残量と、を比較していて、インク残量の値がニアエンド閾値に達した場合に、インク残量が残り少なくなったニアエンドの状態である、と判定する。そして、表示部５６にニアエンドであるとの表示を、ＬＥＤのランプ点滅で行う。
【００５６】
判定部７７は、さらに、書込／読出部７８に読み込まれているニアフル閾値と、インク消費量演算部７２による第二および第三の演算で算出された新たな廃液量と、を比較していて、廃液量の値がニアフル閾値に達した場合に、廃液量が廃液タンク１１ｅに満杯に近くなったニアフルの状態である、と判定する。そして、表示部５６にニアフルであるとの表示を、ＬＥＤのランプ点滅で行う。これらニアエンド、ニアフルの表示は、液晶パネルによる画像や文字によって行い、ユーザーに知らせる方法もある。
【００５７】
ここで、インクカートリッジ１０の記憶部１５のデータ構造について簡単に説明する。表１がデータ構造の一部を表す表である。記憶部１５は、更新情報として、４種類のインクのインク残量と、廃液吸収可能量とを持ち、閾値情報として、インクのニアエンド閾値と、廃液のニアフル閾値と、を持っている。すなわち、インクカートリッジ１０にかかわる固有の情報は、すべて記憶部１５で有していることになる。
【００５８】
【表１】
2005212381.tif 000003
【００５９】
このように、インクカートリッジ１０の記憶部１５が、インク残量等の情報に加え、ニアエンド閾値をも有することにより、印刷装置１の制御部３６は、装着可能なインクカートリッジ１０の個別情報を保持する必要が無くなる。従って、制御部３６は、インク残量の更新、更新したインク残量とニアエンド閾値との比較判定などの、汎用的な処理が行えればよく、インクカートリッジ１０の新規追加、仕様変更などがあっても、制御部３６のプログラム変更を行う等の必要が無い。廃液量についても同様である。
【００６０】
次に、図９、図１０、図１１を参照して、インクカートリッジ１０を装着した印刷装置１によるインク関連の処理の流れについて説明する。図９は、印刷装置１の待機状態からの演算処理およびデータ保存処理の流れを示すフローチャートである。フローは、Ａ、Ｂ、Ｃ、Ｄの４つのフローがある。待機状態とは、電源ＯＦＦの状態を含めて、印刷装置が即作動可能状態で次の指令を待つ状態のことである。フローＡは、待機状態（ステップＳ１０）から、電源がＯＮされた時、あるいは電源ＯＮの待機状態で、インクカートリッジ１０の交換等で開けられていたカバー６が閉じられて、カバークローズ状態になった時に実行され、インクカートリッジ１０の記憶部１５からデータを読み出して、各種の判定処理を行う（Ｓ１１）。判定処理が終わると判定結果に応じたレスポンスを行い（Ｓ１２）、待機状態へ戻る（Ｓ１０）。
【００６１】
フローＢ（ステップＢ）は、クリーニング開始直前と、１パスの印字終了後と、インク量計算および判定要求がなされた時と、に実行され、インク残量の算出、インク状態の判定を行い（Ｓ１３）、待機状態へ戻る（Ｓ１０）。
【００６２】
フローＣは、印刷が終了して電源ＯＦＦの入力時、データを強制的に保存する保存要求時、インクカートリッジ１０交換のためのカバーオープン時に実行され、データがインクカートリッジ１０の記憶部１５へ保存される（Ｓ１４）。
【００６３】
フローＤは、スリープが開始される直前に実行され、データがインクカートリッジ１０の記憶部１５へ保存される（Ｓ１５）。スリープの状態とは、印刷装置１がオンラインであって、ヘッドからインクを吐出して印刷を行うなどのメカ動作がされていない非印刷状態であり、受信バッファにデータがない、いわゆる省電力状態のことである。フローＣによるデータの記憶部１５への保存に加え、フローＤによってもデータを記憶部１５へ、都度保存するため、記憶部１５は、常に最新のインク残量等の情報を記憶している。フローＤでデータを記憶部１５へ保存するのは、データが更新されている場合の更新されている部分だけであり、データが更新されていない場合、保存の実行はなされない。
【００６４】
まず、図１０を参照して、フローＡの流れの詳細な説明から行う。待機状態（Ｓ１０）から、最初に、記憶部１５のデータを書込／読出部７８へ読み出して保存し（Ｓ２１）、判定部７７にて以下の判定を行う。まず、インクカートリッジ１０の有無を判定し（Ｓ２２）、有りならば、印刷装置１が使用するインクの色モードが確定しているかどうかの判定をする（Ｓ２３）。インクカートリッジ１０を装着せずにカバークローズしたり、インクカートリッジ１０のデータが読み込めなかった場合等は、インクカートリッジ１０が無しと判定して処理する（Ｓ２４）。ステップＳ２３にて色モードが確定していれば、印刷装置１の色モードとインクカートリッジ１０の色モードとが合致しているかを判定する（Ｓ２５）。色モードが確定していなければ、印刷装置１の色モードを、装着したインクカートリッジ１０の色モードに設定し（Ｓ２６）、ステップＳ２７の処理へ進む。
【００６５】
ステップＳ２５にて印刷装置１の色モードととインクカートリッジ１０の色モードとが合致していれば、インクカートリッジ１０が新品かどうかの判定を行う（Ｓ２７）。Ｓ２５において、合致していなければ、インクカートリッジ１０無しの判定をして処理する（Ｓ２４）。Ｓ２７において、インクカートリッジ１０が新品であると判定されれば、次回再装着されることがあった場合に、新品と判定されないように、インクカートリッジ１０の新品フラグをＯＦＦにして、記憶部１５のデータを書き戻し処理する（Ｓ２８）。この時同時に、印刷装置１側の新品交換カウンタの回数を１回増やす処理を行い、次に、新品交換回数が５回になったかどうかを判定する（Ｓ２９）。５回に達していれば、交換クリーニングフラグをセットし、クリーニング開始指令を出す。そして印刷装置１側の新品交換カウンタの回数をクリアし（Ｓ３０）、判定終了レスポンスを行う（Ｓ３５）。５回に達していなければ、判定終了レスポンスを行う（Ｓ３５）。
【００６６】
ステップＳ２７で新品でないと判定されると、前回装着したインクカートリッジ１０と同じものか、交換されたものかを判定する（Ｓ３１）。交換されたものである場合には、印刷制御部７０、フラッシング制御部７３が持っている吐出回数（ショット数）、クリーニングを含めたフラッシングの吐出回数をクリアし、インクカートリッジ１０の持つインク残量に置き換える。同時に制御部３６のニアエンド閾値も置き換える（Ｓ３２）。インクカートリッジ１０が交換されていない場合には、インクカートリッジ１０に書き込まれている端数処理のフラグを認識して、繰上げの端数処理が行われていれば、フラグ設定をクリアする（Ｓ３３）。ステップＳ３２およびＳ３３は、インク残量についてだけでなく、廃液量、ニアフル閾値についても、同様に処理される。ステップＳ３２あるいはＳ３３のあと、インク残量がニアエンド閾値に達しているか、また、廃液量がニアフル閾値に達しているか、を判定して、達していればニアエンド、ニアフルの表示指示を行い（Ｓ３４）、判定終了レスポンスを行う（Ｓ３５）。判定終了レスポンスを行った後、待機状態へ戻る。
【００６７】
以上のようなフローＡによって、装着されたインクカートリッジ１０のインク残量、廃液量等のインク情報を正しく認識でき、印刷途中のインク切れ、廃液溢れなどの障害を防ぐことができる。インク情報は、インクカートリッジ１０にすべて記憶され、印刷装置１で情報を持つ必要がない。
【００６８】
次は、図１１を参照して、フローＢ、フローＣおよびフローＤについて説明する。フローＢは、ステップＳ４１の容量計算処理において、クリーニングを行うのに必要なインク残量の確認と、１パスの印字終了後に消費したインク量の算出と、判定要求内容の確認と、インク消費量の内、廃液となるインク量の算出と、を行う。そして、インク消費量演算部７２でインク残量の新たな算出と、廃液量演算部７６で廃液量の新たな算出とが行われる。次いで、インク状態判定処理Ｓ４２において、容量計算処理Ｓ４１で算出されたインク残量および廃液量と、ニアエンド閾値およびニアフル閾値とをそれぞれ比較して、インク状態を判定する。この判定結果を基に、計算・判定終了レスポンスＳ４３において、インク残量がニアエンド状態か、廃液量がニアフル状態か、正常状態か、をレスポンスする。ニアエンドあるいはニアフルの状態と判定された場合は、表示部５６に状態表示を表示する。
【００６９】
ステップＳ４３の後、１パスの印字終了後のインク量計算の場合は、待機状態を経て印字を継続し、判定要求の場合は、待機状態に戻る。クリーニングの場合は、クリーニングを実行してフローＣへ進む。
【００７０】
フローＣは、インク残量値、廃液量値の端数処理Ｓ４４において、印刷制御部７０、フラッシング制御部７３、およびクリーニング制御部７４のそれぞれで計数している吐出回数の中で、一定の吐出回数に満たない端数回数を処理する。端数回数が一定の吐出回数の半分以上の回数の場合は、１Ｄｉｇｉｔとして繰り上げ、以下の場合は、切り捨てる処理を、インク消費量演算部７２が行い、インク残量を算出する。廃液量演算部７６は、廃液となるフラッシング制御部７３およびクリーニング制御部７４の端数回数の処理を行い、廃液量を算出する。
【００７１】
端数処理が行われたインク残量および廃液量は、書込／読出部７８を介してインクカートリッジ１０の記憶部１５へ書き込まれる（Ｓ４５）。正常に書き込みが行われると、書き込み終了のレスポンスを指示元へ行い（Ｓ４６）、待機状態へ戻り、指令された電源ＯＦＦ等の状態となる。
【００７２】
そして、フローＤは、まず、待機状態（Ｓ１０）からスリープ開始できるかどうかをチェックするため、ステップＳ５０でオンラインであることを確認し、オンラインであれば印刷中であるかどうかを確認するステップＳ５１へ進む。ステップ５０でオンラインでなければ待機状態へ戻る（Ｓ１０）。次に、ステップＳ５１で印刷中でなければ受信バッファにデータがあるかどうかを確認するステップＳ５２へ進む。ステップＳ５１で印刷中であれば待機状態をへて印刷を続行する。さらに、ステップＳ５２で受信バッファにデータがなければ、記憶部への書き込みをする情報が更新されているかどうかを確認するステップＳ５３へ進む。ステップＳ５２で受信バッファにデータがあれば待機状態へ戻る（Ｓ１０）。最後にステップＳ５３にて書き込み情報が更新されていれば、インクカートリッジ１０の記憶部１５へ、更新されている情報を書き込むステップＳ５４を経て、ステップＳ５５のスリープを開始する。ステップＳ５３で、書き込み情報が更新されていなければ、記憶部１５へ書き込みをせずに、ステップＳ５５のスリープを開始する。スリープ状態は、印刷装置１へ次の指令が入力されるまで継続し、指令が入力されると、印刷装置１は、待機状態（Ｓ１０）を経て指令を実行する。
【００７３】
以上が、インクに関連する処理の流れである。最後に、これまで説明した印刷装置および印刷装置の制御方法による効果をまとめて述べる。
【００７４】
（１）インクカートリッジ１０の記憶部１５への、インクに関する情報の書き込みは、印刷装置１によって印刷等がなされて、インクに関する情報に変化が生じている場合にのみ、実行される。従って、同じ情報を何度も書き込んで更新するような、無駄な処理が行われることがない。
（２）記憶部１５へインクに関する情報を書き込めるスリープ開始時は、ヘッド等の機構が作動していない非印刷状態の時であり、情報の書き込みに障害となるようなノイズなどの発生がない。従って、確実に、記憶部１５へインクに関する情報を書き込むことができる。
（３）インクカートリッジ１０の記憶部１５には、常に、最新のインクに関する情報が保持されている。仮に、印刷装置１の電源が不意に遮断されて、フローＣの処理がなされずに印刷装置１が停止してしまっても、記憶部１５の記憶するインク残量情報と、実際にインクカートリッジ１０に残っているインク量と、が乖離することがない。つまり、正確なニアエンド判定が行える。
（４）通常、印刷装置１の電源が不意に遮断された場合に、記憶部１５へのインクに関する情報を書き込んでから印刷装置１が停止できるようにするためには、回路上の電源検知部や、大容量コンデンサなどのバックアップ電源が必要である。本発明に係わる印刷装置１では、記憶部１５に、常に、最新のインクに関する情報が保持されているため、電源検知部や、バックアップ電源は、不必要である。
（５）インクカートリッジ１０の記憶部１５は不揮発性のメモリであって、インクに関する情報を記憶しておくための電源が不要で、印刷装置１からインクカートリッジ１０を取り外しても、インクに関する情報は保持されている。
（６）記憶部１５に、フラッシュメモリを用いており、読み出し書き込みが瞬時にできる。そのため、インク情報の更新を随時行っても、印刷装置１の各種レスポンスを遅くする等の負荷がほとんどない。
（７）インクカートリッジ１０が、複数色のインクを一体のインクカートリッジ内に収容せずに、個別の単体インクカートリッジに収容する場合でも、単体インクカートリッジ毎に記憶部１５を設けて、一体のインクカートリッジ１０と同様にインクに関する情報を管理できる。
（８）インクカートリッジ１０の仕様は記憶部１５に記憶され、印刷装置１は、記憶部１５からのデータの読み出し、記憶部１５へのデータの書き込み、比較判定等の汎用処理ができればよい。つまり、インクカートリッジ１０の仕様変更等に対応した印刷装置１側のプログラムなどのバージョン変更が不要である。
【図面の簡単な説明】
【００７５】
【図１】本発明に係る印刷装置とインクカートリッジとのデータ授受関係を示す模式図。
【図２】印刷装置の外観斜視図。
【図３】インクカートリッジの外観図。
【図４】印刷装置のインク供給系統の構成を示す断面図。
【図５】印刷装置の概構成を示す模式図。
【図６】ヘッドの構成を示す平面図。
【図７】インクカートリッジ記憶部と印刷装置とのデータ処理の概念を示すフローチャート。
【図８】インクカートリッジ記憶部と印刷装置とのインク量に関する処理を示すブロック図。
【図９】待機状態からの演算処理およびデータ保存処理の流れを示すフローチャート。
【図１０】電源ＯＮ時の実行処理の流れを示すフローチャート。
【図１１】インク消費量の演算およびデータ書き込みの処理の流れを示すフローチャート。
【符号の説明】
【００７６】
１…印刷装置、１０…インクカートリッジ、１１…収容部、１４…ホルダ基板部、１５…記憶部、２０…ヘッド、３１…カートリッジホルダ、３５…キャッピング部、３６…制御部、５１…インク残量メモリ部、７０…印刷制御部、７２…インク消費量演算部、７３…フラッシング制御部、７４…クリーニング制御部、７７…判定部、７８…書込／読出部。
【図１】
2005212381.tif 000004
【図２】
2005212381.tif 000005
【図３】
2005212381.tif 000006
【図４】
2005212381.tif 000007
【図５】
2005212381.tif 000008
【図６】
2005212381.tif 000009
【図７】
2005212381.tif 000010
【図８】
2005212381.tif 000011
【図９】
2005212381.tif 000012
【図１０】
2005212381.tif 000013
【図１１】
2005212381.tif 000014